(57)【要約】【課題】  空気調和機から発生する騒音を効果的に低減する。【解決手段】  電気機器を、モータ６の動作状態を検知する検知手段４と、モータの動作状態に対応する制御音情報を記憶する記憶手段１３と、検知手段４により検知したモータの動作状態に対応する制御音情報を記憶手段から読み出し、当該読み出した制御音情報に基づいて制御音１２を発生させる制御音発生手段とを備えるものとしている。さらに、上記構成において、記憶手段が記憶する制御音情報はモータの動作状態に対応するモータ固有の動作音の波形であり、制御音発生手段は記憶手段から読み出したモータ固有の波形に対して逆位相の制御音を発生させることが望ましい。【選択図】  図２
2007205683.tif 000002
【特許請求の範囲】
【請求項１】
モータを有する電気機器において、前記モータの動作状態を検知する検知手段と、前記モータの動作状態に対応する制御音情報を記憶する記憶手段と、前記検知手段により検知したモータの動作状態に対応する制御音情報を前記記憶手段から読み出し、当該読み出した制御音情報に基づいて制御音を発生させる制御音発生手段を備えることを特徴とする電気機器。
【請求項２】
請求項１において、前記記憶手段が記憶する制御音情報はモータの動作状態に対応するモータ固有の動作音の波形であり、前記制御音発生手段は前記記憶手段から読み出したモータ固有の動作音の波形に対して逆位相の制御音を発生させることを特徴とする電気機器。
【請求項３】
請求項１において、前記記憶手段が記憶する制御音情報は前記モータの動作状態に対応する制御音の波形であることを特徴とする電気機器。
【請求項４】
請求項２において、前記記憶手段が記憶する前記モータの動作状態に対応するモータ固有の動作音の波形は前記モータの回転数に対応するモータ固有の動作音の波形であることを特徴とする電気機器。
【請求項５】
請求項３において、前記記憶手段が記憶する前記モータの動作状態に対応する制御音の波形は前記モータの回転数に対応する制御音の波形であることを特徴とする電気機器。
【請求項６】
圧縮機、室外送風機を有する室外機と室内送風機を有する室内機と前記室外機及び前記室内機とを接続する冷媒配管とを備える空気調和機において、前記圧縮機、前記室外送風機又は前記室内送風機を駆動するモータの動作状態を検知する検知手段と、前記モータの動作状態に対応する制御音情報を記憶する記憶手段と、前記記憶手段から読み出した制御音情報に基づいて制御音を発生させる制御音発生手段とを備えることを特徴とする空気調和機。
【発明の詳細な説明】
【技術分野】
【０００１】
本発明は、モータを有する電気機器に関するものであり、特に空気調和機に好適なものである。
【背景技術】
【０００２】
一般的に空気調和機の室内機は居住空間内に設置される場合が多く、しかも昼夜、季節を問わず連続的に運転される。また空気調和機の室外機は近隣への騒音を配慮する必要があるため騒音源の低減が課題とされてきた。空気調和機の騒音源として問題となるのが、主に圧縮機及び送風機モータ等の動力を含む可動部分からの作動音がある。モータは近年の高出力化および低コスト化の要求により、振動・騒音が増大する傾向にある。その他、冷媒による流動音、電磁弁等の作動音があげられる。これらに対して、圧縮機及び送風機の構造の改善、冷媒配管の形状改善、製造時の精密加工、吸音部材を使用、夜間の能力低減による騒音低下運転等、騒音の低減対策が講じられてきた。また、空気調和機の機種選定時、設備設計時に騒音低減する据え付けを行うように配慮されてきた。また、これに対し特許文献１に代表される様に騒音をマイクロフォンで検出し、それと逆位相となる音をスピーカーから発生することにより、騒音を相殺する技術が検討されてきた。
【０００３】
また、特許文献２では、モータ制御部のロータ回転数位置信号からモータの回転数を捕らえ、その回転数の整数倍の周波数の打ち消し音を発生する方法が紹介されている。
【０００４】
【特許文献１】特開２００５−２０１５６５号公報
【特許文献２】特開２００４−１１７５８６号公報（特に、段落「００２７」）
【発明の開示】
【発明が解決しようとする課題】
【０００５】
特許文献１の技法では騒音を発生する部位毎にマイクロフォンによる騒音検出手段が必要でありコスト的に不利であった。
また、特許文献２では、モータ制御部のロータ回転位置信号からモータ回転数を捕らえ、その回転数の整数倍の周波数の打ち消し音発生する方法が紹介されているが、この方法は必ずしもモータ騒音を打ち消すのに適切な打ち消し音を発生することができず、騒音が十分に低減できないという課題がある。
【０００６】
本発明の目的は、電気機器又は空気調和機の騒音を低減することである。
【課題を解決するための手段】
【０００７】
本発明の一態様では、電気機器を、モータの動作状態を検知する検知手段と、モータの動作状態に対応する制御音情報を記憶する記憶手段と、検知手段により検知したモータの動作状態に対応する制御音情報を記憶手段から読み出し、当該読み出した制御音情報に基づいて制御音を発生させる制御音発生手段とを備えるものとしている。
【０００８】
さらに、上記構成において、記憶手段が記憶する制御音情報はモータの動作状態に対応するモータ固有の動作音の波形であり、制御音発生手段は記憶手段から読み出したモータ固有の波形に対して逆位相の制御音を発生させることが望ましい。
【０００９】
さらに、上記構成において、記憶手段が記憶する制御音情報はモータの動作状態に対応する制御音の波形であることが望ましい。  
さらに上記構成において、記憶手段が記憶するモータの動作状態に対応するモータ固有の動作音の波形はモータの回転数に対応するモータ固有の動作音の波形であるものとすることが望ましい。
【００１０】
さらに、上記構成において、記憶手段が記憶するモータの動作状態に対応する制御音の波形はモータの回転数に対応する制御音の波形であることが望ましい。
【００１１】
また、本発明の他の態様では、空気調和機を、圧縮機、室外送風機を有する室外機と室内送風機を有する室内機と室外機及び室内機とを接続する冷媒配管とを備え、圧縮機、室外送風機又は室内送風機を駆動するモータの動作状態を検知する検知手段と、モータの動作状態に対応する制御音情報を記憶する記憶手段と、記憶手段から読み出した制御音情報に基づいて制御音を発生させる制御音発生手段を備えるものとしている。
【発明の効果】
【００１２】
本発明によれば、電気機器又は空気調和機の騒音を低減することができる。
【発明を実施するための最良の形態】
【００１３】
以下、図面を参照して本発明の一実施の形態を詳細に説明する。
【実施例１】
【００１４】
図１は空気調和機の室外機１、室内機２、リモートコントロール装置３からなる空調システムのブロック図である。室外機１と室内機２は冷媒配管により接続されている。記憶装置１３には、空調機の各モータの回転数に対応する制御音情報、本実施例ではモータ固有の動作音が記憶されている。図２は室外機１の騒音源である室外送風機用モータ５、圧縮機６からの騒音１１を騒音低減する様子を示したブロック図である。制御基板９はモータの回転数を検知する回転数検知手段（又は位置検出手段）からの回転数信号を受信する通信手段を有している。そして、回転数検知手段からの送信された回転数信号により各モータを制御する。制御回路４は制御基板９との通信手段を有し、騒音源である室外送風機５および圧縮機６のモータの動作状態、例えばモータ回転数を検知する。モータ回転数を検知した制御回路４は予め記憶装置１３に記憶されている室外送風機５および圧縮機６の固有の動作音と逆位相の制御音１２を極短時間で計算して作りだし、室外送風機５および圧縮機６の近辺に設置されたスピーカー１０から発生させる。このスピーカー１０から流した逆位相の制御音１２と騒音１１が打ち消しあい室外機１の外部への騒音が弱まる。室内機２も騒音源である室内送風機１２に対して前述の騒音低減処理を行う。室内機２より漏れ出た騒音に対しては、居住区間内にされたリモートコントロール装置１０が前述の騒音低減処理を行う。以上の動作を、時々刻々と変化する騒音に対して次々に繰り返す。このような減音動作を制御回路４が個々に行うことにより騒音を低減する。この実施例によれば、記憶装置に記憶されたモータ固有の動作音に対して逆位相の制御音を発生させることで、マイクロフォンを設置しない場合でも騒音を低減することができる。
【実施例２】
【００１５】
実施例１によれば、固有の動作音と逆位相の制御音を計算する際に制御遅れが生じ、効果的に騒音を低減できない場合が生じうる。また、制御音を計算する計算装置が必要なためコストアップにつながる。そこで、本実施例では記憶装置１３に制御音情報として各モータのモータ回転数に対応する制御音の周波数の波形を記憶する。そして、モータ回転数を検知して、検知したモータ回転数に対応する制御音の周波数波形を記憶装置から読み出して、読み出した周波数波形にて制御音を発生させる。この方法によれば、制御遅れが生じることがないので、効果的に騒音を低減することができる。実施例１及び２では、空気調和機の例について説明したが、この実施例の騒音低減方法は掃除機、洗濯機などのモータを利用した電気機器一般に使用することができる。
【図面の簡単な説明】
【００１６】
【図１】本発明の一実施の形態による空調システムを示すブロック図。
【図２】図１における室外機の一実施の形態を示すブロック図。
【符号の説明】
【００１７】
１…室外機、２…室内機、３…リモートコントロール装置、４…制御回路、５…室外送風機、６…圧縮機、７…冷媒配管、８…室内送風機、９…制御基板、１０…スピーカー、１１…騒音、１２…制御音
【図１】
2007205683.tif 000003
【図２】
2007205683.tif 000004